(57)【要約】      （修正有）【課題】農業機械を正確に運転しながら播種や施肥が正常に行われているか否かを確認する。【解決手段】農業機械用監視装置は、複数のカメラ１，２，３，４と、該カメラ１，２，３，４の内選択された一つのカメラにより撮影された映像を映し出すモニター５と、前記複数のカメラ１，２，３，４の内選択された一つのカメラに切替える切替えスイッチ６と、これらカメラ１，２，３，４とモニター５と切替えスイッチ６を制御する制御器７と、これらカメラ１，２，３，４とモニター５と切替えスイッチ６を制御器７に対して電気的に配線されたケーブル８と、制御器７及び該制御器７を介してカメラ１，２，３，４とモニター５に対して電気を供給する電気ケーブル９とを備えてなる。【選択図】図１
0003128172.tif 000002
【実用新案登録請求の範囲】
【請求項１】
複数のカメラと、該カメラの内選択された一つのカメラにより撮影された映像を映し出すモニターと、前記複数のカメラの内選択された一つのカメラに切替える切替えスイッチと、これらカメラとモニターと切替えスイッチを制御する制御器とを備えてなり、前記複数のカメラには、夫々農業機械に対して着脱可能なマグネットが備えられていることを特徴とする農業機械用監視装置。
【考案の詳細な説明】
【技術分野】
【０００１】
本考案は、牽引車による牽引式又は自走式の播種装置や施肥装置等の種子や肥料を蒔きながら走行する農業機械用監視装置に関する。
【背景技術】
【０００２】
従来、種子や肥料を蒔く際には、牽引車による牽引式又は自走式の播種装置や施肥装置等の農業機械を用いている。
【考案の開示】
【考案が解決しようとする課題】
【０００３】
ところで、前記のような農業機械は、運転席が前方に在り、種子や肥料を収容するホッパーや蒔くための各種装置等が後方に在って、農業機械を走行操作する運転者がその運転中においてホッパーや各種装置等に背を向けている。
そのため、運転者は、播種や施肥が正常に行われているか否かを確認するために、視線を前方から後方に、後方から前方に切替えながら運転している。
【０００４】
しかしながら、視線を切替えながら運転する場合、視線を後方に切替えた際に、ハンドル操作を誤って蒔かれる種子や肥料が畝から外してしまう虞があり、又、視線を前方としているときに、ホッパーや各種装置等に何らかの障害が発生した際に種子や肥料が蒔かれてないことを確認できない虞もある。
【０００５】
本考案者は、農業機械を正確に運転しながら播種や施肥が正常に行われているか否かを確認するという観点から、鋭意研究の結果本考案に至ったものである。
尚、本考案者の知り得る範囲において、農業機械を正確に運転しながら播種や施肥が正常に行われているか否かを確認するということを解決した先行技術文献情報に関しては存在しない。
【０００６】
そこで本考案は、農業機械を正確に運転しながら播種や施肥が正常に行われているか否かを確認することを課題とし、この課題を解決した農業機械用監視装置の提供を目的とする。
【課題を解決するための手段】
【０００７】
上記目的を達成するために本考案が採用した技術的手段は、複数のカメラと、該カメラの内選択された一つのカメラにより撮影された映像を映し出すモニターと、前記複数のカメラの内選択された一つのカメラに切替える切替えスイッチと、これらカメラとモニターと切替えスイッチを制御する制御器とを備えてなり、前記複数のカメラには、夫々農業機械に対して着脱可能なマグネットが備えられていることを特徴とする農業機械用監視装置にしたことである。
【考案の効果】
【０００８】
本考案の農業機械用監視装置によれば、農業機械を正確に運転しながら播種や施肥が正常に行われているか否かを確認することができる。
【考案を実施するための最良の形態】
【０００９】
以下、本考案の農業機械用監視装置を実施するための最良の形態を図面に基づいて説明する。
【００１０】
本形態の農業機械用監視装置Ａは、複数（図示では４個）のカメラ１，２，３，４と、該カメラ１，２，３，４の内選択された一つのカメラにより撮影された映像を映し出すモニター５と、前記複数のカメラ１，２，３，４の内選択された一つのカメラに切替える切替えスイッチ６と、これらカメラ１，２，３，４とモニター５と切替えスイッチ６を制御する制御器７と、これらカメラ１，２，３，４とモニター５と切替えスイッチ６を制御器７に対して電気的に配線されたケーブル８と、制御器７及び該制御器７を介してカメラ１，２，３，４とモニター５に対して電気を供給する電気ケーブル９とを備えてなる。
【００１１】
前記カメラ１，２，３，４は、ともにカメラ本体１０と、該カメラ本体１０を支持する台座１１とからなり、この台座１１の底部には、カメラ１,２,３,４を農業機械（図示せず）の鉄部に対して着脱可能に取付けるためのマグネット１２が配設されている。
【００１２】
このカメラ１，２，３，４の配設位置は任意であるが、本形態においては、図２に示すように、農業機械におけるホッパーＨの種子や肥料の出口Ｈ１付近を監視できるような位置に配設されており、具体的には、ホッパーＨを支持する金属製の支持部Ｈ２にマグネット１２の磁力を利用して配設されている。
【００１３】
そして、本形態におけるカメラ１，２，３，４は、農業機械に対してマグネット１２によって配設可能なものであるため、着脱が容易である上に、鉄部であれば場所を選ばずどのような場所にでも取付けることができ、しかも、カメラ１，２，３，４の撮影方向を幅広く設定することができる。
【００１４】
尚、本考案では、カメラの台数及び配設位置を限定するものではなく、監視位置や監視対象に応じて、増減可能であるし、配設位置も任意に設定できる。
【００１５】
前記モニター５は、農業機械における運転席（図示せず）に着脱可能に取付け可能な周知の取付け具５１を備えている。
【００１６】
前記切替えスイッチ６は、カメラ１，２，３，４に対応する回転式の切替えボタン１Ａと、カメラ１，２，３，４の切替えを自動又は手動に切替え設定する設定ボタン１Ｂを備えている。
【００１７】
前記制御器７は、モニター５用の電源ユニット及びモニターに映像を映し出すためのモニターユニット、カメラ１，２，３，４用の電源ユニット及び切替えスイッチ６の切替え操作をカメラ１，２，３，４に反映させるための各種カメラ切替えユニット、更には、カメラ１，２，３，４の切替えが自動である際に、その切替えタイミングが設定されるタイマー等が内蔵されている（いずれも図示せず）。
【００１８】
前記ケーブル８は、長尺のケーブル本体８１の両端に配線される対象に対して抜き差し可能な接続端子（図示せず）を備えた周知のものであり、状況に応じて必要な長さのものに交換可能にしている。
【００１９】
前記電気ケーブル９は、先端に電源に接続する接続プラグ等の接続具９１を備えた周知のものであり、該接続具９１は使用される農業機械の電源に応じた形態のものが使用される。
【００２０】
前記形態の農業機械用監視装置Ａによれば、前記位置に配設したカメラ１，２，３，４で撮影された映像が、運転席に配設されたモニター５に映し出されるので、運転者は、幡手後ろを向くことなく、播種や施肥の状況を確認しながら農業機械を運転することができる。
したがって、農業機械を正確に運転しながら播種や施肥が正常に行われているか否かを確認することができる。
【００２１】
尚、本考案は、例示した実施の形態に限定するものではなく、実用新案登録請求の範囲に記載された内容から逸脱することなく、他の構成による実施も可能である。
【図面の簡単な説明】
【００２２】
【図１】本考案に係る農業機械用監視装置の一例を示す模式図。
【図２】カメラを配設した状態の一例を示す。
【符号の説明】
【００２３】
Ａ：農業機械用監視装置
１：カメラ
２：カメラ
３：カメラ
４：カメラ
５：モニター
６：切替えスイッチ
７：制御器
１０：カメラ本体
１１：台座
１２：マグネット
【図１】
0003128172.tif 000003
【図２】
0003128172.tif 000004